(57)【要約】 【課題】  軸孔に侵入する塵埃の影響を軽減し、駆動力の低下を防止した光ピックアップ装置を提供する。【解決手段】  対物レンズ（１０）を保持するホルダ（レンズホルダ８）を支軸（６）上に摺動可能及び回転可能に取り付けてなる光ピックアップ装置（２）であって、前記支軸は、その表面部に溝部（溝１８、４８）を備えてなる構成である。前記溝部は、螺旋状、曲線状又は直線状の溝（１８、４８）からなる構成としてもよい。前記支軸は、筒体であって、前記筒体の外面部と内面部とに貫通する貫通孔（５２）を備える構成としてもよい。【選択図】        図１
2005166223.tif 000002
【特許請求の範囲】
【請求項１】
対物レンズを保持するホルダを支軸上に摺動可能及び回転可能に取り付けてなる光ピックアップ装置であって、
前記支軸は、その表面部に溝部を備えてなることを特徴とする光ピックアップ装置。
【請求項２】
前記溝部は、螺旋状、曲線状又は直線状の溝からなることを特徴とする請求項１記載の光ピックアップ装置。
【請求項３】
対物レンズを保持するホルダを支軸上に摺動可能及び回転可能に取り付けてなる光ピックアップ装置であって、
前記支軸は、筒体であって、前記筒体の外面部と内面部とに貫通する貫通孔を備えることを特徴とする光ピックアップ装置。
【発明の詳細な説明】
【技術分野】
【０００１】
本発明は、光ディスクへの光ビームの照射、その反射光ビームの受光に用いられる光ピックアップ装置に関し、特に、レンズホルダを支持する支軸の形態に関する。
【背景技術】
【０００２】
光ピックアップ装置は、対物レンズを保持するレンズホルダを支軸に変位可能に支持させ、レンズホルダにフォーカスコイルとトラッキングコイルとを備えて、光源からの光ビームの光ディスクに対する照射方向等を制御するフォーカス機構及びトラッキング機構を備えている。レンズホルダには隣接して磁石により静磁界を作用させるとともに、フォーカスコイル及びトラッキングコイルには独立した駆動信号を与えることにより磁界を発生させることにより、静磁界と駆動信号による磁界とにより、レンズホルダを上下方向にフォーカスさせ、又は左右方向にトラッキング調整が行われる。
【０００３】
このような光ピックアップ装置に関する技術には例えば、次のような特許文献が存在する。
【特許文献１】特開２００３−１９６８６２公報
【発明の開示】
【発明が解決しようとする課題】
【０００４】
特許文献１に開示された光ピックアップ装置では、レンズホルダのほぼ中央部に支持軸が挿通される軸孔が形成された筒状部が設けられ、この筒状部の外周部にフォーカスコイルや複数のトラッキングコイルが互いに直交するように取り付けられている。筒状部とフォーカスコイルやトラッキングコイルは別部材として構成されており、各トラッキングコイルはその巻回中心が軸孔の中心軸と直交方向に取り付けられる構造である。
【０００５】
ところで、このような光ピックアップ装置において、レンズホルダの軸孔と支軸との間に１０μｍオーダーの微細な塵埃の侵入は避けられず、このような微細な塵埃でも、支軸と軸孔との摩擦を増加させ、駆動力低下の原因になる。
【０００６】
そこで、本発明は、軸孔に侵入する塵埃の影響を軽減し、駆動力の低下を防止した光ピックアップ装置を提供することを目的とする。
【課題を解決するための手段】
【０００７】
上記目的を達成するため、本発明の光ピックアップ装置は、対物レンズ（１０）を保持するホルダ（レンズホルダ８）を支軸（６）上に摺動可能及び回転可能に取り付けてなる光ピックアップ装置（２）であって、前記支軸は、その表面部に溝部（溝１８、４８）を備えてなる構成である。
【０００８】
支軸の表面部に溝部を備えると、支軸とホルダの軸孔内壁部との接触面積が溝部の分だけ減少することになり、両者間の摩擦を低減することができる。また、支軸とホルダの軸孔内壁部との間に侵入した微細な塵埃は、ホルダの回動や昇降により支軸の表面上を移動して溝部側に移動することになる。即ち、支軸とホルダの軸孔内壁部との摩擦面から塵埃が溝部側に移動し、平滑な摩擦面を回復させることができる。この結果、ホルダの回動や昇降に対する塵埃の影響を回避でき、塵埃による駆動力の低下が防止される。
【０００９】
上記目的を達成するためには、前記溝部は、螺旋状、曲線状又は直線状の溝（１８、４８）からなる構成としてもよい。螺旋状又は曲線状の溝で溝部が構成された場合には、その支軸面上を溝側に移動した塵埃は、ホルダの回動や昇降により支軸上を上下方向に溝に沿って移動し、その終端部側から摩擦面外に押し出され、排出されることになる。
【００１０】
また、例えば、支軸の中心軸と平行な直線状の溝で溝部が構成された場合にも、その支軸上を溝側に移動した塵埃は、重力を受けるとともに、ホルダの回動や昇降により支軸上を上下方向にその溝に沿って移動が可能であり、その終端部側から摩擦面外に押し出され、排出されることになる。
【００１１】
上記目的を達成するためには、対物レンズを保持するホルダを支軸上に摺動可能及び回転可能に取り付けてなる光ピックアップ装置であって、前記支軸は、筒体であって、前記筒体の外面部と内面部とに貫通する貫通孔を備える前記支軸は、筒体であって、前記筒体の外面部と内面部とに貫通する貫通孔（５２）を備える構成としてもよい。即ち、筒体で形成された支軸の表面に複数の貫通孔を形成したので、支軸とホルダの軸孔内壁部との接触面積が貫通孔が形成された分だけ減少することになり、両者間の摩擦を低減することができる。また、支軸とホルダの軸孔内壁部との間に侵入した微細な塵埃は、ホルダの回動や昇降により支軸の表面上を移動して貫通孔に入り込み、筒体内に移動することになる。これにより、平滑な摩擦面を回復させることができる。この結果、ホルダの回動や昇降に対する塵埃の影響を回避でき、塵埃による駆動力の低下が防止される。
【発明の効果】
【００１２】
以上説明したように、本発明によれば、次のような効果ガえられる。
【００１３】
(1) 摺動可能及び回転可能にホルダを支持する支軸と、ホルダとの摩擦面積を溝部によって削減できるとともに、両者間に侵入した塵埃を溝部側に逃がすことができ、潤滑性の維持と、塵埃による駆動力の低下を防止することができる。
【００１４】
(2) 支軸を筒体し、前記筒体の外面部と内面部とに貫通する貫通孔を備える構成とすれば、摺動可能及び回転可能にホルダを支持する支軸と、ホルダとの摩擦面積を溝部によって削減できるとともに、両者間に侵入した塵埃を貫通孔から支軸内に逃がすことができ、潤滑性の維持と、塵埃による駆動力の低下を防止することができる。
【発明を実施するための最良の形態】
【００１５】
本発明の光ピックアップ装置の実施形態について、図１及び図２を参照して説明する。図１は光ピックアップ装置を示す分解斜視図、図２は光ピックアップ装置の支軸部分の縦断面図である。
【００１６】
この光ピックアップ装置２は、支持フレーム４に立設された支軸６にレンズホルダ８を支軸６の軸方向に昇降可能及び回動可能に備えたものであり、レンズホルダ８は、対物レンズ１０を保持するフレーム部１２と本体部１４とを備え、液晶ポリマやポリウレタン等の合成樹脂によって一体に成形された樹脂成形体で構成されている。本体部１４の中心部には支軸６を貫通させる軸孔１６が形成されている。軸孔１６の長さＬは、この実施形態では本体部１４の高さとほぼ一致している。このように軸孔１６の長さＬを十分な大きさに設定することは支軸６に支持される範囲が拡大し、レンズホルダ８の移動ぶれ防止に役立つ。
【００１７】
そして、支軸６にはステンレス等の金属からなる丸棒が用いられ、その周面部には溝部として支軸６の直径Ｒより狭い幅Ｗの螺旋状に溝１８が形成されている。従って、この支軸６が挿入されるレンズホルダ８の軸孔１６の内壁面との接触面が溝１８の形成により削減されている。この結果、軸孔１６との接触可能な範囲を長さＬで設定され、この接触範囲を損なうことなく、摩擦面積を低減させている。
【００１８】
また、本体部１４は例えば、矩形状の構造体であって、この本体部１４には軸孔１６を包囲して設置されるフォーカスコイル２０が内蔵され、その一部が軸孔１６の周囲に形成された複数の窓部２２に露出している。軸孔１６の開口縁部には内側をテーパ面とした円環状の立壁部２４が形成されている。フォーカスコイル２０には例えば、表面に絶縁塗料を塗布した銅線を巻芯に巻回して空芯コイルが用いられる。斯かるフォーカスコイル２０は、本体部１４にインサート成形によってモールドされており、本体部１４の後部側には、フォーカスコイル２０のコイル端２８、３０が引き出されている。本体部１４の後部にはコイル端２８、３０の接続等に供される一対の端子部３２が形成されている。そこで、コイル端２８、３０から駆動信号を与えることにより、フォーカスコイル２０を励磁すれば、図示しない磁石による静磁界との関係（フレミング左手の法則）により駆動力が発生し、本体部１４を支軸６を中心に上又は下方向に移動させることができる。その移動量及び移動速度はフォーカスコイル２０に発生させる磁界に依存する。
【００１９】
また、本体部１４の側面部には例えば、各側面部に２組ずつ４組のトラッキングコイル３４、３６、３８、４０が設置され、これらトラッキングコイル３４〜４０を本体部１４の所定位置に装着する装着部として例えば、矩形状の複数の突部４２が形成されている。これらトラッキングコイル３４〜４０には例えば、表面に絶縁塗料を塗布した銅線を巻芯に巻回して空芯コイルが用いられる。各トラッキングコイル３４〜４０は直列に接続されており、コイル端４４、４６にトラッキングのための駆動信号が加えられると、各トラッキングコイル３４とトラッキングコイル３６、トラッキング３８とトラッキング４０は同極方向に励磁され、その磁力と既述の静磁界との関係（フレミング左手の法則）により駆動力が発生し、支軸６を中心に本体部１４とともに対物レンズ１０を左又は右方向に回動させることができる。その移動量及び移動速度はトラッキングコイル３４〜４０に発生させる磁界に依存する。
【００２０】
斯かる構成とすれば、フォーカスコイル２０の励磁によってレンズホルダ８が支軸６上を昇降し、トラッキングコイル３４〜４０の励磁によってレンズホルダ８が支軸６を中心に左右に回動する。このような昇降及び左右移動について、支軸６に対するレンズホルダ８の支持範囲は全く変わることがなく、溝１８の存在により支軸６とレンズホルダ８との摩擦面積が溝１８の面積分だけ減少し、摩擦が減少した分だけ、駆動力を低下させることができる。
【００２１】
そして、軸孔１６に１０μｍ程度の微細な塵埃が侵入した場合において、支持１６とレンズホルダ８との相対移動を受け、その塵埃が軸孔１０の内壁部と支軸６との接触面内から溝１８側に移動し、平滑状態が維持される。
【００２２】
次に、支軸の変形例について、図３を参照して説明する。図３の（Ａ）に示すように、丸棒で形成される支軸６の表面部に軸方向に直線状の複数の溝４８を所定の間隔例えば、９０度の間隔で形成してもよい。この場合、溝４８の幅Ｗは支軸６の直径Ｒより小さく設定されている。このような構成とすれば、支軸６の表面に十分な広さの円弧面を維持することができるとともに、溝４８の面積分だけ支軸６とレンズホルダ８の軸孔１６の内壁面との摩擦面を削減できる。また、軸孔１６に侵入した微細な塵埃は溝４８内に移動させることができ、支軸６とレンズホルダ８との平滑性を維持することができる。
【００２３】
この場合、溝４８は直線状に代え、曲線状としてもよい。かかる構成としても、同様の効果が期待できる。
【００２４】
また、図３の（Ｂ）に示すように、支軸６に軸方向に中心孔５０を形成し、又は支軸６を円筒材で形成するとともに、支軸６の表面部に中心孔５０に達する複数の貫通孔５２を形成してもよい。斯かる構成とすれば、支軸６が中心孔５０の分だけ軽量化されるとともに、支軸６の表面に十分な広さの円弧面を維持することができるとともに、貫通孔５２の面積分だけ支軸６とレンズホルダ８の軸孔１６の内壁面との摩擦面を削減できる。また、軸孔１６に侵入した微細な塵埃は貫通孔５２から中心孔５０内に移動させて排出させることができ、支軸６とレンズホルダ８との平滑性を維持することができる。
【００２５】
なお、支軸６について、金属で形成される場合を例示したが、合成樹脂で形成してもよい。
【００２６】
以上説明したように、本発明の最も好ましい実施形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００２７】
本発明は、摺動可能及び回転可能にホルダを支持する支軸と、ホルダとの間の潤滑性を長期に亘って維持でき、両者間に塵埃が侵入しても、その影響を回避できるので、安定した動作性能を維持することができ、有用である。
【図面の簡単な説明】
【００２８】
【図１】本発明の実施形態に係る光ピックアップ装置を示す分解斜視図である。
【図２】支軸を中心にした光ピックアップ装置の縦断面図である。
【図３】支軸の変形例を示す斜視図である。
【符号の説明】
【００２９】
２  光ピックアップ装置
６  支軸
８  レンズホルダ
１８、４８  溝
５２  貫通孔
【図１】
2005166223.tif 000003
【図２】
2005166223.tif 000004
【図３】
2005166223.tif 000005